(57)【特許請求の範囲】
【請求項１】
軸方向にスライド可能な突部材（２２）と、該突部材（２２）の先端部に着脱自在に取り付けられるようになっている患部突部材（１、２、３）とからなり、
前記患部突部材（１、２、３）を矯正対象の骨の施術ポイントに押し当て、前記突部材（２２）の後端部に衝撃的な軸方向の力を加えると、前記患部突部材（１、２、３）が施術ポイントを突き、骨格のずれが矯正されるようになっている整体器具（２０）において、
前記患部突部材（１、２、３）は、ゴム、合成樹脂等の弾性材から略円柱状に形成され、その先端部分が軸方向に対して３０〜７０度の範囲の所定の角度でテーパ状に切り落とされ、それによって先端部に施術ポイントを突く、絞られた形の小面積の施術面（１ｃ、２ｃ、３ｃ）が形成されていると共に、前記施術面（１ｃ、２ｃ、３ｃ）の側部に筋肉、皮膚等の組織を押しのけて逃がすテーパ状の逃し面（１ｄ、１ｄ、２ｄ、３ｄ、３ｄ）が形成されていることを特徴とする整体器具用の患部突部材。
【請求項２】
請求項１に記載の整体器具（２０）において、前記患部突部材（１）が両側から軸方向に対して３０〜７０度の範囲の所定の角度でテーパ状に切り落とされ、それによって先端部に略長方形を呈する施術面（１ｃ）が形成されていると共に、前記施術面（１ｃ）の両側にテーパ状の逃し面（１ｄ、１ｄ）が形成されていることを特徴とする整体器具用の患部突部材。
【請求項３】
請求項１に記載の整体器具（２０）において、前記患部突部材（２）が両側から軸方向に対して３０〜７０度の範囲の所定の角度でテーパ状に切り落とされていると共に、その先端部の中央部が円弧状に切り抜かれ（２ｅ）、それによって先端部に２個の施術面（２ｃ、２ｃ）が形成され、前記２個の施術面（２ｃ、２ｃ）の側部にテーパ状の逃し面（２ｄ、２ｄ）が形成されていることを特徴とする整体器具用の患部突部材。
【請求項４】
請求項１に記載の整体器具（２０）において、前記患部突部材（３）が周囲から軸方向に対して３０〜７０度の範囲の所定の角度でテーパ状に切り落とされ、それによってその先端部に略円形を呈する施術面（３ｃ）が形成されていると共に、前記施術面（３ｃ）の周囲にテーパ状の逃し面（３ｄ）が形成されていることを特徴とする整体器具用の患部突部材。
【発明の詳細な説明】
【技術分野】
【０００１】
本発明は、軸方向にスライド可能な突部材と、該突部材の先端部に着脱自在に取り付けられるようになっている患部突部材とからなり、前記患部突部材を施術ポイントに押し当て、前記突部材の後端部に衝撃的な軸方向の力を加えると、前記患部突部材が施術ポイントを突き、骨格のずれが矯正されるようになっている整体器具用の患部突部材に関するものである。
【背景技術】
【０００２】
関節によって接続されている複数の骨、すなわち骨格は、色々な要因でずれる。事故等で外部から衝撃を受けて突然ずれが生じる場合もあるし、生活習慣や職業上の必要から慢性的に同じ姿勢を取り続けて、徐々にずれが生じる場合もある。このような骨格のずれによって、色々な疾病が引き起こされる。特に頸椎のずれは、肩こり、めまい、頭痛等の原因となることが広く知られており、内臓の不調や免疫力の低下、視力の低下、アレルギー疾患等も引き起こすという報告もある。
【０００３】
このような骨格のずれを矯正する方法として、従来周知のように、整体師等の施術者が実施する、手による方法がある。例えば、頸椎のずれを矯正する場合は、患者を診察台の上にうつぶせに寝かせる。そして、ずれが生じている頸椎の骨の特定の部分、すなわち施術ポイントに、施術者の手の小指の付け根部分にある、わずかに突起した骨を当接させておいて、所定の方向に一気に力を加えて押し込む。そうすると、頸椎のずれは矯正される。この方法によると、小指の付け根部部の骨は小さいので、施術ポイントをピンポイントで正確に押すことができる。また、他の手による方法として、施術者の親指の腹を、離間した位置から施術ポイントを目がけて素早く突き当てる方法もある。
【０００４】
しかしながら、このような従来周知の手による方法は、かなりの熟練度を要するという問題がある。例えば、前者の方法については、小指の付け根部分の突起した骨は、比較的感覚が鈍いので、熟練度の低い施術者にとっては、施術ポイントに正確に当接させること自体が困難である。さらに、力の調整が難しいので、矯正対象の骨を必要以上に強く押してしまう危険もある。一方、後者の方法についても、力の調整が難しいという、前者の方法と同様な欠点があるだけでなく、熟練度が低いと、方向がずれて施術ポイント以外の部分を突いてしまう危険もある。
【０００５】
【特許文献１】米国特許第４１１６２３５号明細書
【０００６】
特許文献１により、施術者の熟練度の高低に拘わらず、調整された力で正確に施術ポイントを突くことができる、整体器具が提案されている。図５には、特許文献１に記載の整体器具５０が示されている。整体器具５０は、図５の（ア）、（ウ）に示されているように、概略的には管状体５５、管状体５５の前方に軸方向に摺動自在に挿入されている棒状の突部材５２、管状体５５より大径で管状体５５に軸方向に摺動自在に被せられている本体５３、管状体５５の後端部に固定的に取り付けられているキャップ体５４、キャップ体５４の後端部に取り付けられている押さえバー６１、本体５３に固着されている指グリップ６２、等から構成されている。棒状の突部材５２は、その一部が管状体５５の先端部近傍に挿入され、他の部分は露出し、露出した部分に、施術ポイントへの突き当て力を調整するアジャスタ５６が取り付けられている。そして、その前方の先端部には、拡径されたヘッド５２ａが設けられ、このヘッド５２ａに患部突部材５１が取り付けられている。患部突部材５１は、ゴムのような弾性材からなり、図５の（イ）に示されているように、施術ポイントに直接突き当てられる、円形の施術面５１ａと、それよりもさらに大径の底面５１ｂと、施術面５１ａから底面５１ｂに向かって拡径されている周面５１ｃとから構成されている。底面５１ｂには、図５の（ウ）に示されているように、所定深さの窪み５１ｄが明けられている。患部突部材５１は、この窪み５１ｄを利用してヘッド５２ａに被せるようにして取り付けられている。管状体５５の内部には、衝撃棒５７が挿入されている。この衝撃棒５７は、管状体５５の後部に挿入されているスプリング５８によって、前方、すなわち突部材５２の方向に付勢されている。こよにより、衝撃棒５７の先端部５７ａは、突部材５２の後端部５２ｂに当接している。
【０００７】
このような整体器具５０を、図５の（ア）に示されているように、押さえバー６１を手のひらの親指の付け根７０に当てて、指グリップ６２に人差し指７１と中指７２を引っかけて持つ。そして、患部突部材５１の施術面５１ａを施術ポイントに押し当てておく。次いで、手のひらを握るようにして指グリップ５２を、押さえバー６１の方向に駆動する。そうすると、本体５３は管状体５５に対して矢印Ａ方向にスライドする。このとき、図に示されていない係止機構により、衝撃棒５７も本体５３と一体となって、スプリング５８に抗して、矢印Ａ方向にスライドする。このスライドにより、衝撃棒５７の先端部５７ａは、突部材５２の後端部５２ｂから離間する。さらに、指グリップ５２を駆動して、押さえバー６１と指グリップ６２が所定の間隔Ｂになると、係止機構は解放される。そうすると、衝撃棒５７はスプリング５８によって付勢されて前方に押し出され、衝撃棒５７の先端部５７ａが、突部材５２の後端部５２ｂに衝撃的に突き当たる。突部材５２は瞬間的にわずかに前方に押し出されて、患部突部材５１の施術面５１ａが施術ポイントを突き、骨格のずれが矯正される。
【発明の開示】
【発明が解決しようとする課題】
【０００８】
上記特許文献１に記載の整体器具５０によると、患部突部材５１を事前に施術ポイントに押し当てるので、突き当てられる箇所が施術ポイントからずれる恐れは少ない。また、アジャスタ５６によって突き当てる力を調節することができるので、調整された突き当て力で安全に施術することはできる。従って、熟練度の低い施術者であっても、容易に施術することが可能である。しかしながら、改良すべき問題点あるいは欠点もある。特に、患部突部材５１に改良すべき点が認められる。すなわち、特許文献１に記載の整体器具５０の患部突部材５１は、格別に形状について考慮が払われていないので、特に頸椎等のように複数の骨が密に並んでいる部位に対しては施術ポイントのみを突き当てることが困難であったり、比較的厚い筋肉や脂肪等の組織に覆われた部分が施術ポイントとなっているとき、突き当てる力が骨自体に作用され難い、という問題がある。以下、その理由を図４によって説明する。
【０００９】
人の頸椎は、頭蓋骨に近い方から順に第１頸椎、第２頸椎、・・・第７頸椎のうように、７個の頸椎から構成され、各頸椎は比較的薄く扁平であり、軟骨等を挟んで密に重ねられている。図４は、このような頸椎のうち、第２頸椎の部分における首の断面を模式的に示す図である。この図に示されているように、第２頸椎Ｋは、背中ＳＮ側に位置する突起Ｔ１と左右の突起Ｔ２、Ｔ３をそれぞれ頂点とする、略逆三角形を呈し、第２頸椎Ｋの周囲は筋肉や脂肪等の組織Ｎで覆われている。このような第２頸椎Ｋに生じているずれには、例えば第１頸椎、第３頸椎などの隣り合う他の頸椎に対して、直線方向のずれＺ１や、回転方向のずれＺ２などがある。特許文献１に記載の整体器具５０を使用して、このような頸椎のずれを矯正する場合、例えば直線方向のずれＺ１を矯正するには、突起Ｔ１の近傍の筋肉や脂肪等の組織Ｎを押しのけるようにして、突起Ｔ１の近傍まで患部突部材５１を押し込んで、矢印Ｓ１で示される方向に突く。そうすると、突起Ｔ１が矢印Ｚ１と逆方向に押されてずれが矯正される。ところで、第２頸椎の突起Ｔ１は、第１頸椎の突起、第３頸椎の突起と隣接しており、さらに第２頸椎の突起Ｔ１は第３頸椎の突起よりも低く、皮膚から深い位置にある。このような突起Ｔ１を突き当てるとき、特許文献１に記載されている施術面５１ａが円形の患部突部材５１では、隣り合う他の頸椎、特に第３頸椎の突起も同時に突いてしまう恐れがある。さらに、施術面５１ａは幅広で組織Ｎを押しのける効果がないので、比較的厚い組織Ｎで覆われたままの突起Ｔ１を突かざるを得ず、突起Ｔ１をグリップする力が弱いという問題もある。また、皮膚、脂肪等で覆われている突起Ｔ１を突くときに、施術面５１ａが突起Ｔ１に対して横滑りしてしまい、結果的に施術ポイントがずれてしまう恐れもある。
【００１０】
一方、回転方向のずれＺ２を矯正するには、突起Ｔ２を施術ポイントとするように、左下後方から突起Ｔ２をかすめるようにして、あるいは引っかかるようにして、矢印Ｓ２で示される方向に突き当てる。そうすると、回転方向のずれＺ２が矯正される。ところで、突起Ｔ２は比較的厚い筋肉等の組織Ｎに覆われているので、左の突起Ｔ２の左下後方から組織Ｎを押しのけるように、特許文献１に記載の整体器具５０の患部突部材５１を押し込んでも、施術面５１ａの形状は幅広で円形になっているので、組織Ｎを十分に押しのけることが困難であり、患部突部材５１を突起Ｔ２に引っかけることができない。また、このような状態で、患部突部材５１を突き当てたとしても、厚い組織Ｎの抵抗を受けてしまい、突き当て力を突起Ｔ２に十分に作用させることは困難である。
【００１１】
本発明は、上記したような問題点あるいは課題を解決した、整体器具用の患部突部材を提供することを目的とし、具体的には骨が密に並んでいる部位であっても、正確に施術ポイントのみを突くことができ、かつ施術ポイントをしっかりグリップすることができ、また、施術ポイントが比較的分厚い筋肉や脂肪等に覆われていても、突き当て力を矯正対象の骨に十分に作用させることのできる、整体器具用の患部突部材を提供することを目的としている。
【課題を解決するための手段】
【００１２】
本発明は、上記目的を達成するために、突部材に着脱自在に、あるいは選択的に取り付けられるようになっている患部突部材はゴム、合成樹脂等の弾性材料から構成されている。そして、この患部突部材には施術ポイントを突く施術面と、筋肉、皮膚等の組織を逃がす逃し面とが形成されている。これらの施術面と逃し面は、略円柱状を呈する本体の先端部分を所定角度でテーパ状に切り落とすことにより形成されている。テーパ状に切り落とした結果、施術面と逃し面が形成されているので、施術面は絞られた形の小面積に、そして逃し面は施術面の側部に形成されている。
【００１３】
すなわち、請求項１に記載の発明は、上記目的を達成するために、軸方向にスライド可能な突部材と、該突部材の先端部に着脱自在に取り付けられるようになっている患部突部材とからなり、前記患部突部材を矯正対象の骨の施術ポイントに押し当て、前記突部材の後端部に衝撃的な軸方向の力を加えると、前記患部突部材が施術ポイントを突き、骨格のずれが矯正されるようになっている整体器具において、前記患部突部材は、ゴム、合成樹脂等の弾性材から略円柱状に形成され、その先端部分が軸方向に対して３０〜７０度の範囲の所定の角度でテーパ状に切り落とされ、それによって先端部に施術ポイントを突く、絞られた形の小面積の施術面が形成されていると共に、前記施術面の側部に筋肉、皮膚等の組織を押しのけて逃がすテーパ状の逃し面が形成されている。請求項２に記載の発明は、請求項１に記載の整体器具において、前記患部突部材が両側から軸方向に対して３０〜７０度の範囲の所定の角度でテーパ状に切り落とされ、それによって先端部に略長方形を呈する施術面が形成されていると共に、前記施術面の両側にテーパ状の逃し面が形成され、請求項３に記載の発明は、請求項１に記載の整体器具において、前記患部突部材が両側から軸方向に対して３０〜７０度の範囲の所定の角度でテーパ状に切り落とされていると共に、その先端部の中央部が円弧状に切り抜かれ、それによって先端部に２個の施術面が形成され、前記２個の施術面の側部にテーパ状の逃し面が形成され、そして請求項４に記載の発明は、請求項１に記載の整体器具において、前記患部突部材が周囲から軸方向に対して３０〜７０度の範囲の所定の角度でテーパ状に切り落とされ、それによってその先端部に略円形を呈する施術面が形成されていると共に、前記施術面の周囲にテーパ状の逃し面が形成されている。
【発明の効果】
【００１４】
以上のように、本発明によると、施術面は周囲から絞られた形の小面積から構成されているので、正確に施術ポイントのみを突くことができ、このとき施術面の側部には逃し面が形成されているので、施術ポイントをしっかりグリップして突くことができる。すなわち、本発明によると、患部突部材は、施術面と逃し面とを備えているので、施術ポイントが比較的分厚い筋肉、脂肪等で覆われていても、施術ポイントをしっかりグリップして、施術ポイントのみに正確に、十分に突力を作用させることのできるという、本発明に特有の効果が得られる。また、本発明によると、患部突部材は突部材に着脱自在に取り付けられるようになっているので、所望の形状および大きさの患部突部材を選択的に取り付け、目的にかなった所望の治療ができる効果も得られる。
【発明を実施するための最良の形態】
【００１５】
以下、本発明の実施の形態を図１〜３により説明する。図１は、本実施の形態に係る整体器具を示す図であり、図１の（ア）は、本実施の形態に係る整体器具の全体とその使用状態を模式的に示す図、その（イ）は突部材の先端部近傍を拡大して示す断面図、その（ウ）は、突部材の先端部と、患部突部材の各部品を分解して模式的に示す斜視図である。
【００１６】
図１に示されているように、本実施の形態に係る整体器具２０も、患部突部材以外は特許文献１に記載の整体器具５０と略同様に構成されている。すなわち、本実施の形態に係る整体器具２０も、管状体２５と、この管状体２５の内部の前方位置に、軸方向に摺動自在に挿入されている棒状の突部材２２と、前記管状体２５に軸方向に摺動自在に被せられている本体２３と、前記管状体２５の後端部に固定的に取り付けられているキャップ体２４と、このキャップ体２４の後端部に取り付けられている押さえバー３１と、前記本体２３に固着されている指グリップ３２と、から構成されている。そして、図１には示されていないが、管状体２５の内部には、特許文献１に記載の整体器具５０と同様に、スプリングと衝撃棒が挿入され、衝撃棒はスプリングによって、前方すなわち突部材２２の方向に付勢されている。そして、棒状の突部材２２の露出している部分には、施術ポイントへの突き当て力を調整するアジャスタ２６が取り付けられている。しかしながら、棒状の突部材２２の先端部は、特許文献１に記載の整体器具５０の突部材５２とは構成が異なる。すなわち、突部材２２の先端部には、患部突部材１が、交換用金具１１を介して着脱自在に取り付けられるようになっている。
【００１７】
本実施の形態に係る整体器具２０の突部材２２の先端部には、図１の（ウ）に示されているように、金具取付部材２２Ａが設けられている。この金具取付部材２２Ａは、先端に位置する第１の鍔部２２ｂと、この第１の鍔部２２ｂと所定の間隔Ｄ１をおいて設けられている第２の鍔部２２ｃとから構成されている。第１の鍔部２２ｂの径Ｒ１は、棒状の突部材２２の径よりもわずかに大きく、第２の鍔部２２ｃの径Ｒ２は第１の鍔２２ｂの径Ｒ１よりも大きい。このように構成されている第１の鍔部２２ｂの外周面には、軸中心に向かう小径の浅い穴、すなわちピン受２２ｄが明けられている。
【００１８】
患部突部材１の交換用金具１１は、図１の（ウ）に示されているように、軸方向に所定長さの円柱状の基環部１１ａと、この基環部１１ａの前方に設けられ、前記基環部１１ａよりも小径の首部１１ｂと、この首部１１ｂの前方に設けられ、前記首部１１ｂよりわずかに大径の所定幅のヘッド部１１ｃと、このヘッド部１１ｃの先端に設けられている短軸部１１ｄとから構成されている。基環部１１ａの外径は、突部材２２の第２の鍔部２２ｃの径Ｒ２とほぼ等しい。このような基環部１１ａの底面１１ｅには、その軸心に嵌合穴１１ｆが明けられている。この嵌合穴１１ｆの内径は、第１の鍔部２２ｂの径Ｒ１よりもわずかに大きく、深さは第１、２の鍔部２２ｂ、２２ｃの間隔Ｄ１とほぼ等しくなっている。また、基環部１１ａの外周面には、軸中心に向かって嵌合穴１１ｆに達する、所定径のピン穴１１ｇが明けられている。このピン穴１１ｇの内周面には雌ネジが形成されている。このように構成されている交換用金具１１を、金具取付部材２２Ａに、その嵌合穴１１ｆを先にして挿入すると、図１の（ア）に示されているように、突部材２２の第１の鍔部２２ｂの外周面は、嵌合穴１１ｆの内周面に密着し、第１の鍔部２２ｂの先端の端面は嵌合穴１１ｆの底面に当接すると共に、交換用金具１１の基環部１１ａの底面１１ｅは、第２の鍔部２２ｃの一部に当接する。そして、雄ネジが形成されている固定ピン１２をピン穴１１ｇに螺合すると、固定ピン１２の先端部は、突部材２２の第２の鍔部２２ｂに設けられているピン受２２ｄに当接して、交換用金具１１は突部材２２の先端部に取り付けられることになる。
【００１９】
図２の（ア）は、本発明の第１の実施の形態に係る患部突部材１を模式的に示す斜視図であり、図３は、本発明の第１の実施の形態に係る患部突部材１を詳細に示す図で、その（ア）は平面図、その（イ）は正面図、その（ウ）は側面図である。患部突部材１は、ゴム、合成樹脂等の弾性材料から構成され、円形の底面１ａから先端に向かってわずかに縮径された略円柱状を呈するように形成されている。そして、円柱の軸に対して対称をなすように両側から２カ所、円柱の軸に対して略４５度の角度で先端の所定部分が切り落とされている。このように切り落とされ、先端面に絞られた形の小面積の略長方形を呈する上面すなわち施術面１ｃが形成されている状態が、図２の（ア）および図３の（ア）、（ウ）にそれぞれ示されている。切り落とされることにより、施術面１ｃの側部にテーパ状の逃し面１ｄ、１ｄも形成されている。また、底面１ａには、図３の（イ）、（ウ）に示されているように、所定径の浅い挿入穴１ｅが軸方向に明けられている。この挿入穴１ｅの奥には、やや大径の円形の嵌合穴１ｆが形成されている。そして、嵌合穴１ｆの底面には、同心的に小径の小穴１ｇが設けられている。これらの挿入穴１ｅ、嵌合穴１ｆおよび小穴１ｇは、交換用金具１１の短軸部１１ｄ、ヘッド部１１ｃおよび首部１１ｂとにそれぞれ対応した大きさに選定されている。従って、患部突部材１の挿入穴１ｅを弾性変形させて広げながら、交換用金具１１の先端部に被せると、図１の（ア）に示されているように、患部突部材１の小穴１ｇと嵌合穴１ｆと挿入穴１ｅは、それぞれ交換用金具１１の短軸部１１ｄとヘッド部１１ｃと首部１１ｂとにそれぞれ密着する。これにより、患部突部材１が交換用金具１１に取り付けられる。
【００２０】
なお、通常、患部突部材１を本実施の形態に係る整体器具２０から取り外す場合、交換用金具１１から患部突部材１を取り外すことなく、固定ピン１２を抜いて患部突部材１と一体化された交換用金具１１を、突部材２２から取り外すことになる。従って、第１の実施の形態に係る患部突部材１を、後で説明する第２、３の実施の形態に係る患部突部材２、３と交換する場合は、固定ピン１２を抜いて患部突部材１と一体化された交換用金具１１を突部材２２の金具取付部材２２Ａから取り外した後、第２、３の実施の形態に係る患部突部材２、３とそれぞれ一体化された材交換用金具１１を金具取付部材２２Ａに取り付けることになる。
【００２１】
次に、上記実施の形態の作用について説明する。本実施の形態に係る患部突部材１が、上記のようにして取り付けられた整体器具２０を、図１に示されているように、押さえバー３１を手のひらの親指の付け根４０に当てて、指グリップ３２に人差し指４１と中指４２を引っかけて持つ。そして、患部突部材１の逃し面１ｄ、１ｄで筋肉や皮膚等の組織を逃がしながら、患部突部材１の細長い長方形の施術面１ｃを施術ポイントに押し当て、施術ポイントを施術面１ｃでしっかりとグリップする。このとき、矯正対象の骨以外の他の骨に施術面１ｃが触れないように留意して、施術面１ｃの向きを調節する。次いで、手のひらを握るようにして指グリップ３２を、押さえバー３１の方向に駆動する。そうすると、本体２３も押さえバー３１の方向に駆動される。整体器具２０の内部に設けられている、図に示されていない係止機構により、内部に設けられている衝撃棒もスプリングに抗して、患部突部材１と反対の方向に、本体２３と一体となってスライドする。さらに、指グリップ３２を駆動して、押さえバー３１と指グリップ３２が所定の間隔になると、係止機構は解放される。そうすると、衝撃棒はスプリングの復元力によって前方に押し出され、衝撃棒の先端部が突部材２２の後端部に衝撃的に突き当たる。突部材２２は瞬間的にわずかに前方に押し出されて、患部突部材１の施術面１ｃが施術ポイントを突き、骨格のずれが矯正される。
【００２２】
本発明の第２の実施の形態に係る患部突部材２が図２の（イ）に示されている。第２の実施の形態に係る患部突部材２も、ゴム、合成樹脂等の弾性材料から構成され、図に示されているように、第１の実施の形態に係る患部突部材１と形状が類似している。すなわち、第２の実施の形態に係る患部突部材２も底面２ａが円形で周面２ｂは先端に向かってわずかに縮径された略円柱状を呈している。そして、円柱の軸に対して対称をなすように両側から２カ所、円柱の軸に対して略４５度の角度で先端の所定部分が切り落とされている。これにより、テーパ状の逃し面２ｄ、２ｄが形成されている。前述した第１の実施の形態によると、施術面１ｃは略長方形を呈しているが、第２の実施の形態によると、長方形の施術面は円弧状のくり抜き２ｅにより比較的面積の小さい２個の施術面２ｃ、２ｃに分断されている。第１の実施の形態の挿入穴１ｅ、嵌合穴１ｆ、小穴１ｇ等も同様に形成されているが、図には示されていない。
【００２３】
第２の実施の形態に係る患部突部材２を整体器具２０に取り付けて施術する場合、頸椎の突起等の施術ポイントをくり抜き２ｅで挟むようにグリップさせることができるので、骨を覆っている皮膚等の組織が滑ってずれる恐れがない。また、２個の施術面２ｃ、２ｃは比較的面積が小さいので、いずれか一方の施術面２ｃを施術ポイントに当てて、施術ポイントを引っかけるように突き当てれば、図４に示されている頸椎の回転方向のずれＺ２も容易に矯正することができる。
【００２４】
図２の（ウ）に示される、本発明の第３の実施の形態に係る患部突部材３も、ゴム材や合成樹脂のような弾性材料で構成されている。患部突部材３は、底面３ａは円形で周面３ｂは先端に向かってわずかに縮径された略円柱状を呈している点と、底面３ａに挿入穴１ｅ、嵌合穴１ｆ、小穴１ｇ等が設けられている点は、前述した第１、２の実施の形態に係る患部突部材１、２と同様に構成されている。しかし、施術面と逃し面は異なっている。すなわち、第３の実施の形態に係る患部突部材３は、周面３ｂの所定の位置からテーパ状に切り落とされ、その先端部が絞られた形の小円形の施術面３ｃとなっている。周面３ｂがテーパ状に切り落とされ、テーパ状の逃し面３ｄが形成されている。逃し面３ｄが円錐状で、施術面３ｃが比較的小さな円形を呈しているので、患部突部材３を整体器具２０に取り付けて施術する場合、筋肉や皮膚等の組織を容易に押しのけることができ、施術ポイントが比較的分厚い筋肉や脂肪等に覆われていても、施術ポイントの骨に施術面３ｃを直接的に当てることができ、突き当て力を矯正対象の骨に十分に作用させることができる。
【００２５】
本発明に係る整体器具の患部突部材は、上記実施の形態に限定されることなく色々な形で実施できる。例えば、患部突部材の先端部を球面で実施することもできるし、逃し面を患部突部材の軸方向に対して３０〜４５度等に、あるいは４５〜７０度等に構成することもできる。
【産業上の利用可能性】
【００２６】
本発明に係る整体器具の患部突部材は、手動で突き部材を駆動する手動式の整体器具だけでなく、電動で突き部材を駆動する電動式整体器具にも適用可能である。
【図面の簡単な説明】
【００２７】
【図１】本実施の形態に係る整体器具を示す図で、その（ア）は本実施の形態に係る整体器具の全体とその使用状態を模式的に示す図、その（イ）は突部材の先端部近傍を拡大して示す断面図、その（ウ）は突部材の先端部と患部突部材の各部品を分解して模式的に示す斜視図である。
【図２】本実施の形態に係る整体器具の患部突部材を模式的に示す斜視図で、その（ア）は第１の実施の形態に係る患部突部材を、その（イ）は第２の実施の実施の形態に係る患部突部材を、その（ウ）は第３の実施の形態に係る患部突部材をそれぞれ模式的に示す斜視図である。
【図３】第１の実施の形態に係る整体器具の患部突部材を示す図で、その（ア）は上面図、その（イ）は正面図、その（ウ）は側面図である。
【図４】第２頸椎の部分における首の断面を模式的に示す断面図である。
【図５】特許文献１に記載の整体器具を示す図で、その（ア）は整体器具の使用状態を模式的に示す図、その（イ）は患部突部材を模式的に示す斜視図、その（ウ）は整体器具の断面図である。
【符号の説明】
【００２８】
１、２、３              患部突部材（第１、２、３の実施の形態）
１ｃ、２ｃ、３ｃ        施術面（第１、２、３の実施の形態）
１ｄ、２ｄ、３ｄ        逃し面（第１、２、３の実施の形態）
１１         交換用金具        ２０        整体器具
２２         突部材          ２２Ａ        金具取付部材
【図１】
0004246241.tif 000002
【図２】
0004246241.tif 000003
【図３】
0004246241.tif 000004
【図４】
0004246241.tif 000005
【図５】
0004246241.tif 000006